(57)【要約】【課題】保険契約時の年齢に応じた保険料を、保険支払額の多寡に応じて並べて表示し、契約すべき保険を容易に比較検討可能にする保険料計算尺を提供することを課題とする。【解決手段】保険料を計算する保険料計算尺１であって、月額保険料が保険契約時の年齢毎に記された第一の部材４と、月額保険料が記された第一の部材４の表面を覆う第二の部材５と、を備え、第一の部材４は、保険支払額の多寡に応じて設定される複数の月額保険料が年齢毎に並べて記されると共に、所定の印２２が記されており、第二の部材５は、第一の部材３に記された何れかの年齢に対応する複数の月額保険料を目視可能にする第一の開口部１６と、所定の印２２を目視可能にする第二の開口部１５と、を有しており、第二の開口部１５に見える所定の印２２の位置が何れかの年齢に合うように第一の部材４と第二の部材５とを相対移動すると、該年齢に対応する複数種類の月額保険料を第一の開口部１６に表示する。【選択図】図７Ａ
2010108361.tif 000002
【特許請求の範囲】
【請求項１】
保険料を計算する保険料計算尺であって、
月額保険料が保険契約時の年齢毎に記された第一の部材と、
前記月額保険料が記された前記第一の部材の表面を覆う第二の部材と、を備え、
前記第一の部材は、保険支払額の多寡に応じて設定される複数の月額保険料が年齢毎に並べて記されると共に、該第一の部材と前記第二の部材との相対的な位置関係を示すための所定の印が記されており、
前記第二の部材は、前記第一の部材に記された前記月額保険料のうち何れかの年齢に対応する複数の月額保険料を目視可能にする第一の開口部と、前記第一の部材に記された前記所定の印を目視可能にする第二の開口部と、を有しており、
前記第二の開口部に見える前記所定の印の位置が、該第二の開口部の縁に記される年齢の数列のうち何れかの年齢に合うように前記第一の部材と該第二の部材とを相対移動すると、該年齢に対応する前記複数種類の月額保険料を前記第一の開口部に表示する、
保険料計算尺。
【請求項２】
前記第二の部材は、前記第一の部材に年齢毎に並べて記された月額保険料の整列方向に沿って、該第一の部材と相対的にスライド可能であり、
前記第二の開口部は、前記第二の部材のスライド方向に延びる開口部であり、
前記年齢の数列は、前記第二の部材のスライド方向に並ぶ数列である、
請求項１に記載の保険料計算尺。
【請求項３】
前記第一の開口部は、前記第二の部材のスライド方向と略直交する方向に延びる開口部であり、
前記第一の部材は、保険支払額の多寡に応じて設定される複数の月額保険料が、前記第二の部材のスライド方向と略直交する方向に並べて記される、
請求項２に記載の保険料計算尺。
【発明の詳細な説明】
【技術分野】
【０００１】
本発明は、保険料計算尺に関する。
【背景技術】
【０００２】
保険契約の場面においては、保険料や年収、保障額といった保険に関わる金額の計算が行われる。例えば、特許文献１には、見積条件を入力すると保険料を計算して表示する保険料計算システムが開示されている。
【特許文献１】特開２００７−２３３５０１号公報
【発明の開示】
【発明が解決しようとする課題】
【０００３】
保険契約者の収入や必要な保障額は契約者間で異なる。このため、保険契約の場面においては、様々な条件に応じた契約内容が提示される。ここで、保険の営業活動は、営業担当者が顧客の住居や職場に出向いて行われることが一般的である。このため、営業担当者が客先で顧客と話をしながら保険契約に関わる費用等を簡単に計算し、様々な契約条件に応じたプランを即座に提案できることが望ましい。また、顧客自らが、営業担当者の居ない時に保険契約の内容を検討する場合においても、保険契約に関わる費用等を簡単に計算し、様々な契約条件に応じたプランを容易に比較検討できることが望ましい。
【０００４】
本発明は、このような課題に鑑みなされたものであり、保険契約時の年齢に応じた保険料を、保険支払額の多寡に応じて並べて表示し、契約すべき保険を容易に比較検討可能にする保険料計算尺を提供することを課題とする。
【課題を解決するための手段】
【０００５】
本発明は、上記課題を解決するため、保険支払額の多寡に応じて設定される複数の月額保険料が年齢毎に並べて記される部材を、該複数の月額保険料を目視可能にする開口部が設けられた部材で覆う。
【０００６】
詳細には、保険料を計算する保険料計算尺であって、月額保険料が保険契約時の年齢毎に記された第一の部材と、前記月額保険料が記された前記第一の部材の表面を覆う第二の部材と、を備え、前記第一の部材は、保険支払額の多寡に応じて設定される複数の月額保険料が年齢毎に並べて記されると共に、該第一の部材と前記第二の部材との相対的な位置関係を示すための所定の印が記されており、前記第二の部材は、前記第一の部材に記された前記月額保険料のうち何れかの年齢に対応する複数の月額保険料を目視可能にする第一の開口部と、前記第一の部材に記された前記所定の印を目視可能にする第二の開口部と、を有しており、前記第二の開口部に見える前記所定の印の位置が、該第二の開口部の縁に記される年齢の数列のうち何れかの年齢に合うように前記第一の部材と該第二の部材とを相対移動すると、該年齢に対応する前記複数種類の月額保険料を前記第一の開口部に表示する。
【０００７】
上記保険料計算尺は、第一の部材と第二の部材とを備えている。第一の部材および第二の部材は、文字が記された面や開口部を形成可能であれば如何なる材料で構成されていてもよいが、例えば、紙製であれば加工および印刷が容易である。ここで、保険を契約する際の月額保険料は、契約時の年齢に応じて異なるため、第一の部材には、保険契約時の年齢毎の月額保険料が記されている。
【０００８】
ところで、保険契約は、予め用意された様々な保険支払額の中から顧客が希望する額を
選んで行われる。ここで、月額保険料は、保険支払額の多寡に応じて異なる。そこで、第一の部材には、同一の年齢について複数の月額保険料が記されており、保険支払額の多寡に応じた比較検討が可能なようになっている。
【０００９】
第二の部材は、第一の開口部と第二の開口部とを有している。これらの開口部は、第二の部材が第一の部材の表面を覆った際、その一部がユーザに見えるようにするために設けられるものであり、第二の部材を貫通している。ここで、第一の開口部は、第一の部材に記された月額保険料のうち何れかの年齢に対応する複数の月額保険料を目視可能にする。何れかの年齢に対応する複数の月額保険料とは、すなわち、保険支払額の多寡に応じた互いに異なる複数の月額保険料であり、任意に選択された何れかの年齢に対応する複数の月額保険料である。第二の部材が第一の部材を覆い隠しつつ、第一の開口部が第一の部材に記された文字の一部を目視可能にすることにより、任意に選択された何れかの年齢に対応する複数の月額保険料のみをユーザに見せつつ、選択されていない他の年齢に対応する月額保険料が覆い隠されたままの状態になる。よって、ユーザは、第一の開口部に表示される複数の月額保険料を読み取ることで、月額保険料の金額を保険支払額の多寡に応じて容易に比較検討することが可能になる。
【００１０】
なお、第一の開口部が表示する月額保険料の年齢の選択は、第二の開口部に表示される所定の印を、該第二の開口部の縁に記された年齢に合わせることで実現される。すなわち、第二の開口部に表示される所定の印を、第二の開口部の縁に記された年齢の数列のうち何れかの年齢に合わせることで、第一の部材と第二の部材との相対的な位置関係が定まり、第一の開口部に表示される文字が決まる。第二の開口部に表示される所定の印とは、第一の部材に記された印であり、例えば、月額保険料の文字列の付近に記される印である。所定の印は、第一の部材に記されているものであるため、所定の印が第二の開口部内で動くように第一の部材と第二の部材とを相対的に動かすと、第一の開口部内に表示されている月額保険料の文字列も動き、それまで表示されていたのと異なる年齢の月額保険料が表示されるようになる。
【００１１】
上記保険料計算尺によれば、第一の部材と第二の部材とを相対的に動かすだけで、保険契約時の年齢に応じた保険料が、保険支払額の多寡に応じて複数表示されるため、契約すべき保険を容易に比較検討することが可能になる。
【００１２】
また、前記第二の部材は、前記第一の部材に年齢毎に並べて記された月額保険料の整列方向に沿って、該第一の部材と相対的にスライド可能であり、前記第二の開口部は、前記第二の部材のスライド方向に延びる開口部であり、前記年齢の数列は、前記第二の部材のスライド方向に並ぶ数列であってもよい。
【００１３】
文字列を並べる場合、通常は一列に並べられる。保険支払額の多寡に応じて設定される複数の月額保険料を示す文字列を年齢毎に並べる場合も然り、第一の部材の表面に一列に並べられる。ここで、ユーザの視点に鑑みると、一列に並べた文字列のうち任意に選択した何れかの文字列を開口部に表示する場合、スライド操作で文字列を選択することが操作性の観点から好ましい。第一の部材と第二の部材とをどのような方向に相対移動させれば所望の文字列を選択できるかが直感的に判りやすいためである。よって、上記第二の部材が、年齢毎に並べて記された月額保険料の整列方向に沿って、第一の部材と相対的にスライド可能なように構成されることで、年齢の選択操作が直感的に判りやすくなるため、操作性が大幅に向上する。
【００１４】
また、前記第一の開口部は、前記第二の部材のスライド方向と略直交する方向に延びる開口部であり、前記第一の部材は、保険支払額の多寡に応じて設定される複数の月額保険料が、前記第二の部材のスライド方向と略直交する方向に並べて記されるものであっても
よい。
【００１５】
これによれば、選択した年齢に対応する複数の月額保険料が、年齢を選択する際に行うスライド操作の方向と略直交する方向に並ぶことになる。よって、何れかの年齢を選択した際、選択した年齢において如何なる月額保険料が用意されているのかを直感的に把握することが可能である。年齢を選択する際に行う操作の方向と略直交する方向に文字列が複数並んでいれば、これら複数の文字列が年齢との関係において並列の関係にあることが容易に理解できるからである。これにより、各年齢について如何なる月額保険料が用意されているのかが判りやすくなり、使い勝手が良くなる。
【発明の効果】
【００１６】
保険契約時の年齢に応じた保険料を、保険支払額の多寡に応じて並べて表示し、契約すべき保険を容易に比較検討可能にする保険料計算尺を提供することが可能になる。
【発明を実施するための最良の形態】
【００１７】
以下、本発明の一実施形態に係る保険料計算尺について説明する。図１は、本実施形態に係る保険料計算尺１の斜視図である。保険料計算尺１は、図１に示すように、表紙２と本体３とで構成されている。表紙２は、本体３と回動可能なように繋がっており、見開くことが可能である。
【００１８】
本体３は、スライドシート４（本発明でいう第一の部材に相当する）と、スライドシート４を包む封筒のような収容部５（本発明でいう第二の部材に相当する）とで構成されている。収容部５は、長手方向の両端が開口しており、スライドシート４を長手方向に抜き差し可能なように形成されている。なお、収容部５には、収容したスライドシート４を指で掴める様にするため、切り欠き６が設けられている。本体３は、表側の面が賃金計算面７であり、裏側の面が保険料計算面８である。
【００１９】
図２は、表紙２および本体３の収容部５を形成している第一の部材９の上面図である。また、図３は、第一の部材９の下面図である。第一の部材９は、図２に示すように、印刷や切り欠き等のカッティングが施された１枚の紙であり、表紙２を構成する第一の領域１０、保険料計算面８を構成する第二の領域１１、賃金計算面７を構成する第三の領域１２、及び封筒状の収容部５を形成するためののり代を構成する第四の領域１３で構成されている。
【００２０】
第一の領域１０には、上面側に保険料計算尺１の表紙を飾る表題が印刷されており、下面側に裏表紙を飾る文字情報が印刷されている。第一の領域１０は、表紙２を構成する部分であり、第一の領域１０と第二の領域１１との間にある折り目１４によって、表紙２と本体３とが繋がれることになる。表紙２を構成する第一の領域１０の上面側には、「家族を守る計算尺」というタイトルが付されている。また、第一の領域１０の下面側には、「生命保険の選び方」、「家族の生活を支え、子供の将来を支える」といったコピーが計算尺の使い方の概略と共に記されている。
【００２１】
第二の領域１１には、スライドシート４に印刷された印を表示する開口部である年齢表示窓１５（本発明でいう第二の開口部に相当する）と、スライドシート４に印刷された保険料を表示する開口部である保険料表示窓１６（本発明でいう第一の開口部に相当する）とが設けられている。年齢表示窓１５は、本体３に挿入されたスライドシート４のスライド方向、換言すると、本体３の長手方向に延びる細長の開口部であり、スライドシート４がスライドされると、スライドシート４に印刷された印がこの中を動く。保険料表示窓１６は、スライドシート４のスライド方向と直交する、換言すると、本体３の短手方向に延びる細長の開口部であり、スライドシート４がスライドされると、スライドシート４に印
刷された保険料の文字列がこの中で上下に動く。また、第二の領域１１には、保険料計算面８を飾る各種の文字情報、例えば、保険料の算出を促す標語や保険料計算尺１の使い方、年齢表示窓１５に沿って記される年齢の数列、保険料表示窓１６に沿って記される受取保険料の額等が表面側に記されている。なお、本実施形態では、保険料計算尺１が保険料を計算する保険の例として、収入保障保険を用いているため、保険料表示窓１６には月払い保険料が遺族年金月額毎に表示されるようになっている。第二の領域１１は、赤く印刷されており、赤い計算尺を形成する。
【００２２】
第三の領域１２には、スライドシート４に印刷された印を表示する開口部である年齢表示窓２１と、スライドシート４に印刷された生涯賃金を表示する開口部である賃金表示窓１７とが設けられている。年齢表示窓２１は、年齢表示窓１５と同様、本体３の長手方向に延びる細長の開口部であり、スライドシート４に印刷された印がこの中を動く。賃金表示窓１７は、保険料表示窓１６と同様、本体３の短手方向に延びる細長の開口部であり、スライドシート４に印刷された生涯賃金の文字列がこの中で上下に動く。また、第三の領域１２には、賃金計算面７を飾る各種の文字情報、例えば、生涯賃金の算出を促す標語や保険料計算尺１の使い方、年齢表示窓２１に沿って記される年齢の数列、賃金表示窓１７に沿って記される月平均報酬の額等が表面側に印刷されている。第三の領域１２は、青く印刷されており、青い計算尺を形成する。
【００２３】
第四の領域１３は、第二の領域１１と第三の領域１２との間にある折り目２０を折った状態で両者を接合するためののり代である。すなわち、第四の領域１３の表面側を、第二の領域１１の裏面側にあるのり代（図３の符号Ａで示す破線の領域）に貼り付けることで、スライドシート４を収容する収容部５が形成される。なお、第四の領域１３には、スライドシート４に記されている文字が隠れないようにするため、表示窓との干渉を防ぐ切り欠き１９が設けられている。
【００２４】
スライドシート４は、生涯賃金や保険料が印刷される帯状の紙であり、収容部５に収容可能な大きさである。まず、生涯賃金が印刷されているスライドシート４の上面側について説明する。図４は、スライドシート４の上面図である。スライドシート４の上面側には、図４に示すように、生涯賃金が記されている。スライドシート４の上面側に記される生涯賃金は、月平均報酬の額に応じた生涯賃金が横方向に９つ並んで記されており、このような９つ並んだ生涯賃金が年齢を縦軸として２５歳から５５歳まで３１行並ぶことで、生涯賃金の行列を形成している。このような生涯賃金の行列が記されたスライドシート４が収容部５内でスライドされることにより、賃金計算面７の賃金表示窓１７に、月平均報酬の額に応じた生涯賃金が表示されることになる。なお、スライドシート４の上面側には、生涯賃金の行列の左上付近に帯状の印であるカーソル１８が記されている。このカーソル１８は、スライドシート４が収容部５内でスライドされると賃金計算面７の年齢表示窓２１内を動くことで、賃金計算面７に記されている年齢の数列のうち、賃金表示窓１７に表示されている生涯賃金の基点となる年齢を指し示す。
【００２５】
次に、スライドシート４の下面側について説明する。図５は、スライドシート４の下面図である。スライドシート４の下面側には、図５に示すように、月払い保険料が記されている。すなわち、スライドシート４の下面側には、保険支払額の多寡に応じて、換言すると、遺族年金の月額に応じて段階的に設定された月払い保険料が横方向に８つ並んで記されており、このような８つ並んだ保険料が年齢を縦軸として２５歳から５５歳まで３１行並ぶことで、保険料の行列を形成している。このような保険料の行列が記されたスライドシート４が収容部５内でスライドされることにより、保険料計算面８の保険料表示窓１６に、遺族年金の月額に応じた保険料が表示されることになる。なお、保険料表示窓１６は、上段と下段と２段に渡ってスライドシート４の文字列が表示されるようになっており、スライドシート４に記された保険料の行列のうち保険料表示窓１６の上段側に表示される
額を月払い保険料として表示する一方、下段側に表示される額を年金受取総額として表示する。また、スライドシート４の下面側には、上面側と同様、保険料の行列の左上付近に帯状の印であるカーソル２２（本発明でいう所定の印に相当する）が記されており、保険料表示窓１６に表示されている保険料の払い込み開始の基点となる年齢を指し示す。
【００２６】
次に、保険料計算尺１の使用方法について説明する。まず、生涯賃金を計算する場合について説明する。図６Ａは、生涯賃金を計算したい場合の使用方法を示す図である。生涯賃金を計算する場合は、図６Ａに示すように、スライドシート４を前後にスライドさせ、年齢表示窓２１に表示されるカーソル１８をユーザである顧客の年齢に合わせる。次に、賃金表示窓１７に並んで表示される９つの生涯賃金の額のうち、ユーザの現時点の月平均報酬額に対応する生涯賃金の額を読み取る。選択する月平均報酬額は、ユーザの年収の１２分の１の金額に近いもの、或いは今後稼げるであろう平均月収とする。読み取った生涯賃金の額が、ユーザが今後６５歳までに働く場合の生涯賃金となる。これにより、ユーザが今後６５歳までに得る生涯賃金の概算を、スライドシート４をスライドさせるだけで容易に知得することが可能であり、その生涯賃金の額が想像以上に大きいことをユーザに気付いてもらうことができる。なお、この生涯賃金の額が、生命保険を選ぶときの基準となる。
【００２７】
青い計算尺を形成する第三の領域１２を使うことで、現在から６５歳まで働いた場合の生涯賃金が容易に判る。これにより、自分の生涯賃金が想像以上に大きいことを顧客に気が付いてもらう事が可能である。そして、自分に万一の事があった場合にこの生涯賃金が失われるので、それを補填するのが生命保険の役割であるということを顧客に気が付いてもらうことができる。また、現在加入している保険がそれほど大きい保障をしているものであるのか否かという疑問を顧客に感じさせることができる。
【００２８】
ところで、上記生涯賃金の算定結果は、以下のようにして算定される。図６Ｂは、生涯賃金を年齢ごとに示したグラフである。年齢に関わらず月収が一定の場合、生涯賃金は図６Ｂに示すように三角形のグラフになる。例えば、平均月収が４０万円の場合、３５歳の時点で６５歳までに得る生涯賃金は、毎月４０万円の賃金を３０年間得ることになるから合計額が１億４，４００万円となる。また、５５歳の時点で６５歳までに得る生涯賃金は、毎月４０万円の賃金を１０年間得ることになるから合計額が４，８００万円となる。なお、上記生涯賃金の算定結果は、６５歳まで毎月同額の月収であると仮定した場合の話であるから、昇給等があればその算定結果も当然に変化する。
【００２９】
次に、保険料を計算する場合について説明する。図７Ａは、保険料を計算したい場合の使用方法を示す図である。保険料を計算する場合は、図７Ａに示すように、スライドシート４を前後にスライドさせ、年齢表示窓１５に表示されるカーソル２２をユーザの年齢に合わせる。次に、保険料表示窓１６に並んで表示される８つの月払い保険料のうち、ユーザが希望する遺族年金の月額に対応する保険料の額を読み取る。ユーザが希望する遺族年金の月額とは、ユーザが家族に残したい月々の金額である。ここで選択する遺族年金の月額は、この保険以外から得られる公的な遺族年金や会社からの死亡退職金なども踏まえ、やや低い額に設定することが好ましい。ここで保険料表示窓１６に表示される額が、その月額を６５歳まで受け取ると総額がいくらになるのかという金額になる。そして、カーソル２２を一段下にずらすと、今度はその収入保障保険の月々の保険料が保険料表示窓１６に表示される。これにより、ユーザに対し、毎月支払うべき保険料の額について驚きを感じさせることができる。
【００３０】
赤い計算尺を形成する第二の領域１１を使うことで、青い計算尺で算出した生涯賃金を「収入保障保険」という毎月定額の保険金を受け取る方式の保険で受け取ることにした場合の、現時点での受け取り保険金総額と月額保険料が容易に判る。これにより、公的保障
としての遺族年金や会社からの死亡退職金により、毎月の月収と同じ額の補填を要しないとしても、毎月いくら補填できたら安心なのかを容易に確認することができる。そして、確認したその月額を補填する場合、生涯でいくら必要になるのかを容易に確認することができる。そして、顧客が現在加入している生命保険では、顧客に万一の事があった場合に保障額が不足するというようなことを容易に認識させることが可能になる。そして、カーソル２２を１段下にスライドさせると、今度は補填したい月額を保障してくれる保険（収入保障保険）の月額保険料が表示され、その額に驚いてもらうことができる。
【００３１】
ところで、上記収入保障保険は、顧客に万一の事があった場合、以下のような補填額が給付される。図７Ｂは、一般的な保険の保険金受取総額と収入保障保険の保険金受取総額とを並べて示したグラフである。図７Ｂに示すように、一般的な定期保険の場合、３５歳から６５歳まで一貫して一定の額の保険金を受け取ることができる。一方、収入保障保険の場合、死亡時の年齢が上がるにつれて保険金受取総額が下がる。よって、収入保障保険の場合、保険金の受取総額が生涯賃金に則しており、生涯賃金を補填する保険として最適であることがわかる。
【００３２】
上記実施形態に係る保険料計算尺１によれば、保険契約時の年齢に応じた保険料が保険契約の条件である保険支払額の多寡に応じて並べて表示されるため、契約すべき保険を容易に比較検討することが可能である。特に、上記保険料計算尺１によれば、生涯賃金の話で顧客に関心を抱かせた後に現在加入している保険の問題点を意識させるという流れに顧客を容易に導くことができる。そして、現在加入している保険の問題点を意識させた上で新たな保険プランを提示するという流れに顧客を容易に導くことができるため、営業マンの営業活動の一助になる。また、このような計算尺であれば営業担当者が容易に持ち歩くことが可能なので、客先に訪問した際にも営業活動を効率的に展開することが可能となる。すなわち、上記保険料計算尺１は、生命保険の話を正面から切り出しにくい保険営業マンのためのツールであり、計算尺という「おもちゃ」のようなおもしろさを喚起することが可能である。上記保険料計算尺１によれば、表紙２を開くと賃金計算面７が最初に現れる。よって、生命保険に関する話を始める前に、一般的に顧客が興味を示す生涯賃金の話を始めることができる。そして、賃金計算面７の次に保険料計算面８が現れるようになっているため、生涯賃金の話をした後に保険の話しをすることができる。このため、上記保険料計算尺１に沿って話を進めると、ストレスなく生命保険を見直してみたいというニーズが喚起され、実際の保険の設計の話に導きやすくなる。また、構成が簡単なので安価に製作することが可能であり、顧客に対して無料配布等することにより保険の販売を促進することが可能である。特に、顧客は、営業担当者が居ないときでも自ら保険料を算出することが可能であり、保険商品の検討が容易にできる。
【００３３】
なお、上記実施形態では、収入保障保険の保険料の計算に適用する場合について説明したが、本発明はこのようなもののみならず、例えば、死亡保険の保険料や傷害保険の保険料等の算定に適用することも可能である。
【００３４】
また、上記実施形態では、生涯賃金の算出に際し、２５歳から５５歳までの各年齢における生涯賃金を、月平均報酬が２０万円から１００万円まで１０万円毎に示しているが、本発明はこのような態様に限定されるものではない。例えば、図８に示すように、３０歳から５０歳までの各年齢における生涯賃金を、月平均報酬が３０万円、４０万円、５０万円、７０万円、および１００万円の場合について示すようなスライドカードを用いてもよい。このようなスライドカードを使った保険料計算尺の外観図を図９に示す。３０歳から５０歳までの生涯賃金を月平均報酬が３０万円、４０万円、５０万円、７０万円、および１００万円の場合について示すスライドカード４’を用いる場合、図９に示されるように、年齢表示窓２１’の縁に記される年齢や賃金表示窓１７’の縁に記される月平均報酬の額もこれに沿ったものとなる。なお、このような変形例は生涯賃金を算定する場合のみな
らず、保険料を算定する場合についても同様に適用可能である。図１０は、本変形例に係る保険料計算尺の外観図である。上記実施形態に係る保険料計算尺１は、図１０に示されるように、遺族年金の月額を２０万円、３０万円、４０万円、５０万円、および９０万円の５種類に設定し、これを３０歳から５０歳までの場合についてそれぞれ示すように変形しても良い。
【００３５】
また、上記実施形態では、保険料の算出に際し、被保険者である顧客の健康状態を区別していなかった。しかし、本発明は、例えば図９および図１０に示すような、被保険者である顧客が平均的な体（普通体）である場合と非喫煙の健康体である場合とで異なる保険料を示すスライドカードを複数種類用意し、これらを顧客に応じて適宜差し替えて使っても良い。また、上記実施形態では表紙２や本体３に保険会社名等を表示していなかったが、保険会社名やその住所を表示するようにしてもよい。
【図面の簡単な説明】
【００３６】
【図１】実施形態に係る保険料計算尺の斜視図。
【図２】第一の部材の上面図。
【図３】第一の部材の下面図。
【図４】スライドシートの上面図。
【図５】スライドシートの下面図。
【図６Ａ】生涯賃金を計算したい場合の使用方法を示す図。
【図６Ｂ】生涯賃金を年齢ごとに示したグラフ。
【図７Ａ】保険料を計算したい場合の使用方法を示す図。
【図７Ｂ】保険金受取総額を示すグラフ。
【図８】生涯賃金の表の変形例。
【図９】変形例に係る保険料計算尺の外観図。
【図１０】変形例に係る保険料計算尺の外観図。
【図１１】保険料の表の変形例。
【図１２】保険料の表の変形例。
【符号の説明】
【００３７】
１，１’    保険料計算尺
２    表紙
３，３’    本体
４，４’    スライドシート
５    収容部
【図１】
2010108361.tif 000003
【図２】
2010108361.tif 000004
【図３】
2010108361.tif 000005
【図４】
2010108361.tif 000006
【図５】
2010108361.tif 000007
【図６Ａ】
2010108361.tif 000008
【図６Ｂ】
2010108361.tif 000009
【図７Ａ】
2010108361.tif 000010
【図７Ｂ】
2010108361.tif 000011
【図８】
2010108361.tif 000012
【図９】
2010108361.tif 000013
【図１０】
2010108361.tif 000014
【図１１】
2010108361.tif 000015
【図１２】
2010108361.tif 000016